(57)【特許請求の範囲】
【請求項１】
側溝本体の両上縁に、外側に適宜の幅で張り出すフランジを設け、側溝本体の両端と、外側面に、長さ方向に適宜の間隔をおいて配置され、上端をフランジの裏面に連続させて、側溝本体の外側面に沿う縦リブを設け、側溝本体の底部裏面に、長さ方向に沿い縦リブと交差して左右対称位置に具えられた底リブを設け、側溝本体の両外側面の中間に、フランジと平行し、縦リブと交差して側溝本体の長さ方向に沿い、先端が下方に折り曲げられた断面Ｌ字形の横リブを設け、また、前記側溝本体の両上縁の内面に、長さ方向に沿って適宜の間隔をおいて内方に向かって開口する溝蓋掛止用の嵌合凹部を設け、前記各縦リブ間には、上端を前記横リブの裏面に連続させ、前記底リブと交差する補助縦リブを設け、さらに、側溝本体の一方の端部に、側溝本体の内面に連続してＵ字形をなし、長さ方向に適宜の長さに突出する接続凸部を設け、他方の端部に、側溝本体の内面に連続してＵ字形の前記接続凸部を嵌合するようにＵ字形をなすとともに、嵌合するＵ字形の接続凸部の外周に沿うようにパッキング嵌合用のＵ字形の溝を具えた嵌合凹部を設けたことを特徴とするプラスチック製Ｕ形側溝。
【発明の詳細な説明】
【０００１】
【発明の属する技術分野】
この発明は、コンクリート製に代わるプラスチック製のＵ形側溝に関し、側溝の外側面に補強のためのリブを一体成形することにより、軽量で、かつ、耐久性に富むようにするとともに、Ｕ字形側溝の両端部に互いに嵌合しあう継ぎ手構造を一体成形することにより、側溝を連接するときの施工が容易になるようにしたことを特長とするものである。
【０００２】
【従来の技術】
Ｕ形側溝には、従来よりコンクリート製のものが通常使用されているが、近年例えば実開平５−２８７７９３号公報あるいは特開平８−２３２３３４号公報のようにプラスチック製のものが開発され、使用されるようになった。
【０００３】
【発明が解決しようとする課題】
従来のプラスチック製Ｕ形側溝の前者（実開平５−２８７７９３号）は、側溝本体の外側にＵ形に沿う補強リブ20を配置したのみなので、十分な強度を得るためにはリブの間隔を密にしたり、全体として肉厚に成形する必要があって、材料消費量と重量が嵩むとともに、長さ方向の剛性に劣る欠点がある。
【０００４】
後者（特開平８−２３２３３４号）は、側面が二重構造なので、前者に比べれば軽量化が図れるが、内壁と外壁の間に中空部を形成し、更に中空部を横断する縦リブを配設するので、一体成形し難いという技術的な困難がある。
そのために、より軽量化する一方で強度を向上させ、耐久性を増すようにすることがこの種のプラスチック製Ｕ形側溝において、解決すべき課題となっていた。
【０００５】
【課題を解決するための手段】
そこで本発明は、側溝本体の両上縁に、外側に適宜の幅で張り出すフランジを設け、側溝本体の両端と、外側面に、長さ方向に適宜の間隔をおいて配置され、上端をフランジの裏面に連続させて、側溝本体の外側面に沿う縦リブを設け、側溝本体の底部裏面に、長さ方向に沿い縦リブと交差して左右対称位置に具えられた底リブを設け、側溝本体の両外側面の中間に、フランジと平行し、縦リブと交差して側溝本体の長さ方向に沿い、先端が下方に折り曲げられた断面Ｌ字形の横リブを設け、また、前記側溝本体の両上縁の内面に、長さ方向に沿って適宜の間隔をおいて内方に向かって開口する溝蓋掛止用の嵌合凹部を設け、前記各縦リブ間には、上端を前記横リブの裏面に連続させ、前記底リブと交差する補助縦リブを設け、さらに、側溝本体の一方の端部に、側溝本体の内面に連続してＵ字形をなし、長さ方向に適宜の長さに突出する接続凸部を設け、他方の端部に、側溝本体の内面に連続してＵ字形の前記接続凸部を嵌合するようにＵ字形をなすとともに、嵌合するＵ字形の接続凸部の外周に沿うようにパッキング嵌合用のＵ字形の溝を具えた嵌合凹部を設けたプラスチック製Ｕ形側溝を提供するものである。
【０００６】
このＵ形側溝は、側溝本体の両上縁に具えたフランジと、外側面に設けられて互いに縦横に交差する縦リブと底リブと先端を下方に折り曲げて断面Ｌ字形とした横リブとで十分に補強されているので、Ｕ形をなす側溝本体の肉厚を比較的に薄くしても使用に十分な強度を備えたものとなり、プラスチック製の従来品に較べてもさらに軽量化し、耐久性を具えたものとすることができる。
【０００７】
そして、本発明のＵ形側溝に、内方に向かって開口する溝蓋掛止用の嵌合凹部を側溝本体の両上縁の内面に設けることにより、側溝に被せた溝蓋の妄動を防止して安定した被覆ができる。また、横リブの裏面に連続して底リブと交差する補助縦リブを設けることにより、長さ方向と横断方向の強度が一層強化される。さらに、側溝の一方の端部に、Ｕ字形の接続凸部を設け、他方の端部に、パッキング嵌合用のＵ字形の溝を具えたＵ字形の嵌合凹部を設けることにより、Ｕ字形側溝の両端部に互いに嵌合し合う継ぎ手構造が一体成形されているので、側溝を連設するときの施工が容易となり、継ぎ目の防水もできる。
【０００８】
【実施例】
図１に示す本発明のＵ形側溝は、各部を一体成形したプラスチック製で、横断面Ｕ形をなす側溝本体１は、該本体１の両上縁に設けられて、外側に適宜の幅で張り出すフランジ２と、側溝本体１の両端と、外側面に、長さ方向に適宜の間隔をおいて配置された縦リブ３と、側溝本体１の両外側面の中間に、縦リブ３と交差して側溝本体１の長さ方向に沿い、かつ、先端を下方に折り曲げて断面Ｌ字形に形成した横リブ４とを具えている。
【０００９】
また、側溝本体１の底部裏面には、図３の(a)，(b)，(c)に示すように、長さ方向に沿い縦リブ３と交差して該底部裏面の左右対称位置に具えられた底リブ５を設けている。
縦リブ３は、上端をフランジ２の裏面に連続させて側溝本体１の外側面に沿い、横リブ４と底リブ５とは互いに同等の高さを有して交差する。
【００１０】
側溝本体１の両外側面および両端面に、上記のようにしてフランジ２と、互いに同等の高さを有して交差する縦リブ３と横リブ４と底リブ５とを配置したこのプラスチック製Ｕ形側溝は、各フランジ２と縦リブ３と横リブ４および底リブ５とにより十分に補強されているので、Ｕ形をなす側溝本体１の肉厚を比較的薄くしても使用に十分な強度を備えたものとなる。
【００１１】
なおこの実施例は、材料樹脂に、例えばペットボトルのリサイクルプラスチックを用い、成形後のひけ防止のために各部の厚さをほぼ均一にして約４ｍｍとし、全長約１０１６ｍｍ、全幅約１９０ｍｍ、全高約１５０ｍｍ、重量約７Kgであるが、各部の寸法ならびに形状などを必要に応じて設計変更したり、材料を他のプラスチックに代替することなどは任意である。
【００１２】
また、本発明のＵ形側溝は、図示するように、側溝本体１の両上縁の内面に、長さ方向に沿って適宜の間隔をおいて内方に向かって開口する溝蓋掛止用の嵌合凹部６を設けることにより、側溝に被せる図示省略の溝蓋の妄動を防止して安定した被覆ができるようにすることができる。
【００１３】
また、本発明のＵ形側溝は、図３の(a)，(b)，(c)に示すように、また、前記のように、横リブ４の先端を下方に折り曲げて断面Ｌ字形に形成し、また、図１、図２及び図３に示すように、各縦リブ３の間に、上端を横リブ４の裏面に連続させて底リブ５と交差し、縦リブ３、横リブ４、底リブ５と互いに同等の高さを有する補助縦リブ７を設けることにより、本発明Ｕ形側溝をより一層強化し、耐久性に富むものにすることができる。
【００１４】
更に、図１、図２および図３に示すように、側溝本体１の一方の端部に、側溝本体の内面に連続してＵ字形をなし、長さ方向に適宜の長さに突出する接続凸部８を設け、他方の端部に、側溝本体１の内面に連続してＵ字形の上記接続凸部８を嵌合するようにＵ字形をなして、嵌合するＵ字形の接続凸部の外周に沿うようにパッキング嵌合用のＵ字形の溝１０を具えた嵌合凹部９を設けて、Ｕ形側溝の両端部に互いに嵌合し合って連続し得るようにした継手構造を一体成形することにより、側溝を連設するときの施工を容易にし、継ぎ目の防水もできるようにすることもできる。
【００１５】
【発明の効果】
以上のように、本発明によれば、Ｕ形をなす側溝本体の外側に、フランジと縦、横、底の各リブを縦横に、かつ、互いに交差させて一体成形したので、剛性に富むとともに必要な強度を十分に備えて、最大限の軽量化ができ、かつ、一体成形が容易なプラスチック製Ｕ形側溝を提供し得るのみならず、側溝本体の一方の端部に、側溝本体の内面に連続してＵ字形をなし、長さ方向に適宜の長さに突出する接続凸部を設け、他方の端部に、側溝本体の内面に連続してＵ字形の上記接続凸部を嵌合するようにＵ字形をなして、嵌合するＵ字形の接続凸部の外周に沿うようにパッキング嵌合用のＵ字形の溝を具えた嵌合凹部を設けて、Ｕ形側溝の両端部に互いに嵌合し合って連続し得るようにした継手構造を一体成形したので、側溝を連設するときの施工を容易にし、継ぎ目の防水もできるようにすることもできる。
本発明には以上のように優れた効果がある。
【図面の簡単な説明】
【図１】  図１は、実施例を示す斜視図
【図２】  図２の(a)は実施例の一部切欠側面図、(b)は一部切欠平面図
【図３】  図３の(a)は図２のA-A’断面図、(b)はB-B’断面図、(c)はC-C’断面図である。
【符号の説明】
１  側溝本体
２  フランジ
３  縦リブ
４  横リブ
５  底リブ
６  嵌合凹部
７  補助縦リブ
８  接続凸部
９  嵌合凹部
１０  パッキン嵌合用溝
【図１】
0003811530.tif 000002
【図２】
0003811530.tif 000003
【図３】
0003811530.tif 000004